(57)【特許請求の範囲】
【請求項１】
不織布ランディングゾーンを備える使い捨て着用可能吸収性物品であって、前記不織布ランディングゾーンが、
輪郭線幅を有する輪郭線によって少なくとも部分的に囲まれた図形画像と、
前記図形画像に重なる複数の交差しない波形接着線を有する接着パターンであって、それぞれの接着線が接着線幅を有する接着パターンと、
を含み、
前記接着パターンは、前記不織布ランディングゾーンの外側の面に形成されており、
前記輪郭線幅は、前記それぞれの接着線幅以上である、使い捨て着用可能吸収性物品。
【請求項２】
前記輪郭線が、均一の幅を有することを特徴とする、請求項１に記載の使い捨て着用可能吸収性物品。
【請求項３】
前記輪郭線幅が、前記接着線幅のそれぞれより少なくとも２０％大きいことを特徴とする、請求項１又は２に記載の使い捨て着用可能吸収性物品。
【請求項４】
前記輪郭線幅が、前記接着線幅のそれぞれより少なくとも５０％大きいことを特徴とする、請求項１、２、又は３に記載の使い捨て着用可能吸収性物品。
【請求項５】
前記図形画像が、前記輪郭線によって完全に囲まれていることを特徴とする、請求項１、２、３、又は４に記載の使い捨て着用可能吸収性物品。
【請求項６】
前記ランディングゾーンが、印刷区域を含み、
前記輪郭線が、印刷されていない部分によって形成されていることを特徴とする、請求項１、２、３、４、又は５に記載の使い捨て着用可能吸収性物品。
【請求項７】
前記図形画像が、キャラクター画像であることを特徴とする、請求項１、２、３、４、５、又は６に記載の使い捨て着用可能吸収性物品。
【請求項８】
前記接着線幅のそれぞれが、０．２ミリメートル以上であって、２．０ミリメートル以下であることを特徴とする、請求項１、２、３、４、５、６、又は７に記載の使い捨て着用可能吸収性物品。
【請求項９】
前記接着線幅のそれぞれが、０．４ミリメートル以上であって、１．５ミリメートル以下であることを特徴とする、請求項１、２、３、４、５、６、又は７に記載の使い捨て着用可能吸収性物品。
【請求項１０】
前記接着線幅のそれぞれが、０．６ミリメートル以上であって、１．０ミリメートル以下であることを特徴とする、請求項１、２、３、４、５、６、又は７に記載の使い捨て着用可能吸収性物品。
【発明の詳細な説明】
【技術分野】
【０００１】
広くは、本開示の実施形態は、着用可能吸収性物品に関する。具体的には、本開示の実施形態は、接着及び印刷された繊維性材料を用いる着用可能吸収性物品に関する。
【背景技術】
【０００２】
着用可能吸収性物品は、排泄物の受容、包含、及び吸収に有用である。多くの前締結式着用可能吸収性物品は、接着及び印刷された繊維性材料を含む。例えば、そのような物品は、接着及び印刷された材料から作製されたフックアンドループファスナーシステムを含むことができる。そのようなシステムでは、物品の後部を前部に固定することを可能にするように締結耳上にフック部分が提供され、物品の前にループ部分が形成される。
【発明の概要】
【発明が解決しようとする課題】
【０００３】
繊維性ランディングゾーンを使用してループ部分を形成することができる。多くの場合、この繊維性ランディングゾーンに印刷された図形（文字、キャラクター画像、数字など）を含むことは、望ましい。しかし、構造的完全性及び締結性能を目的とすると、繊維性ランディングゾーン全体に間隔を開けて置かれた接着区域を提供する必要がある。残念ながら、繊維性ランディングゾーン上の接着区域の存在は、繊維性ランディングゾーン上の印刷された図形の視認をより困難にする。
【課題を解決するための手段】
【０００４】
本開示は、印刷区域に重なる図形及び接着パターンを有する印刷された区域を有する繊維性ランディングゾーンを有する前締結式の着用可能吸収性物品を含み、印刷区域及び接着パターンは、図形を容易に視認可能にすることを可能にするように構成される。
【図面の簡単な説明】
【０００５】
【図１】本開示の実施形態による、着用目的で形成されたフックアンドループファスナーシステムを含む前締結式着用可能吸収性物品の斜視図を示し、フック部分は、締結耳上に提供され、ループ部分は、印刷された図形及び接着パターンを有する繊維性ランディングゾーンによって形成される。
【図２】本開示の実施形態による、非収縮状態で平らに寝かされた前締結式着用可能吸収性物品の外側の上面図を示し、フック部分は、締結耳上に提供され、ループ部分は、印刷された図形及び接着パターンを有する不織布ランディングゾーンによって形成される。
【図３】本開示の実施形態による、ランダムに配向された数多くの不織布繊維を有する不織布ランディングゾーンの外側の上面図。
【図４】本開示の実施形態による、印刷された図形を有する不織布ランディングゾーンの外側の上面図。
【図５】本開示の実施形態による、印刷された図形及び接着パターンを有する不織布ランディングゾーンの外側の上面図。
【図６】本開示の実施形態による、不織布ランディングゾーンの接着パターンの上面図。
【図７】本開示の実施形態による、印刷された図形及び接着パターンを有する不織布ランディングゾーンの外側の上面図。
【図８Ａ】図７の接着パターンを有する不織布ランディングゾーンの別の図。
【図８Ｂ】印刷された図形の上に接着パターンを有する図８Ａの不織布ランディングゾーン。
【図９Ａ】図７の接着パターンの改変版を有する不織布ランディングゾーンの上面図を示し、この接着パターンは比較的短い波長の接着線を有する。
【図９Ｂ】印刷された図形上に接着パターンを有する図９Ａの不織布ランディングゾーン。
【図１０Ａ】図７の接着パターンの改変版を有する不織布ランディングゾーンの上面図を示し、この接着パターンは比較的長い波長の接着線を有する。
【図１０Ｂ】印刷された図形上に接着パターンを有する図１０Ａの不織布ランディングゾーン。
【図１１Ａ】図７の接着パターンの改変版を有する不織布ランディングゾーンの上面図を示し、この接着パターンは比較的小さいピッチを有し、接着線は比較的小さい振幅を有する。
【図１１Ｂ】印刷された図形上に接着パターンを有する図１１Ａの不織布ランディングゾーン。
【図１２Ａ】図７の接着パターンの改変版を有する不織布ランディングゾーンの上面図を示し、この接着パターンは比較的大きいピッチを有し、接着線は比較的大きい振幅を有する。
【図１２Ｂ】印刷された図形上に接着パターンを有する図１２Ａの不織布ランディングゾーン。
【発明を実施するための形態】
【０００６】
図１は、着用を目的として形成された前締結式着用可能吸収性物品１００の斜視図を示す。物品１００は、トップシートと、吸収性コアと、バックシートとを含むことができる。物品１００は、排泄物を受容、包含、及び吸収するように構成される。物品１００は、前部１０１及び後部１０５を含む。物品はまた、フックアンドループファスナーシステムを含み、フック部分には締結耳１１０が提供され、ループ部分は、繊維性ランディングゾーン１２０によって形成される。後部１０５が前部１０１に固定されるように、締結耳１１０上のフック部分を繊維性ランディングゾーン１２０上のループと締結することができる。繊維性ランディングゾーン１２０は、本開示の実施形態による印刷された図形及び接着パターンを有する。
【０００７】
本開示全体を通して、様々な実施形態を説明及び例示するためにランディングゾーンが用いられる。しかし、本開示の実施形態はランディングゾーンに限定されず、着用可能吸収性物品において他の接着及び印刷される繊維性材料にも同様に適用されることができるものと企図される。例えば、トップシート、バックシート、側耳、サイドパネル、ウェストバンド、及び／又は脚バンドの一部若しくはいくつかの部分又は全てを、本開示の実施形態により印刷された図形及び接着パターンとともに構成してよい。
【０００８】
本開示全体の実施形態では、繊維性ランディングゾーンは、当該技術分野で既知の任意の方式で任意の繊維性材料で構築することができる。繊維性材料は、動物繊維、植物繊維、鉱物繊維、合成繊維などから作製されることができる。繊維性材料は、短繊維、長繊維、連続繊維、様々な長さ若しくは断面形の繊維、又はこれらの任意の組み合わせを含むことができる。本開示全体を通し、繊維性材料の様々な実施形態を説明及び例示するために不織布材料を用いる。しかし、本開示の実施形態は不織布材料に限定されず、当業者に理解されるように、上述のような広く多様な繊維性材料に同様に適用されることができるものと企図される。
【０００９】
用語「不織布材料」は、不均一、不規則、又はランダムな方式でインターレイされた繊維（フィラメントとも呼ばれる）のシート状構造（例えばウェブ）を指す。不織布材料は、単層構造でも多層構造でもよい。また、不織布材料をフィルムのような別の材料と接合して積層体を形成することも可能である。不織布材料は、様々な天然及び／又は合成材料から作製することができる。代表的な天然材料としては、木綿、ジュート、パルプなどのようなセルロース繊維が挙げられ、かつレーヨン又はビスコースのような再加工されたセルロース繊維もまた含まれ得る。不織布材料のための天然繊維は、カーディングなど様々なプロセスを用いて調製することができる。代表的な合成材料としては、繊維を形成するためのものとして既知の合成熱可塑性ポリマーが挙げられ、例えば、ポリエチレン、ポリプロピレン、ポリブチレンのようなポリオレフィン、ナイロン６、ナイロン６／６、ナイロン１０、ナイロン１２のようなポリアミド、ポリエチレンテレフタレート、ポリブチレンテレフタレート、ポリ乳酸のようなポリエステル、ポリカーボネート、ポリスチレン、熱可塑性エラストマー、ビニルポリマー、ポリウレタン、及びこれらの配合物及びコポリマーが含まれるが、これらに限定されない。
【００１０】
また、本開示全体の実施形態において、図形は、当該技術分野で既知の任意の方式で不織布ランディングゾーン上に印刷することができる。第１の例として、図形は、ランディングゾーンの不織布層の外面上の繊維上、すなわち締結耳を受け取るために露出された表面上に、印刷することができる。第２の例として、図形は、ランディングゾーンの不織布層の内面上の繊維上、すなわち外面の反対側の表面上に、印刷することができる。第３の例として、図形は、支持基材上、すなわちランディングゾーンの不織布層の下に置かれる基材上に、内面に面するように印刷することができる。図形はまた、これらの方法のいずれかの様々な組み合わせを用いて、又は当該技術分野で既知の任意の他の方法を用いて、不織布ランディングゾーンに印刷することができる。
【００１１】
更に、本開示全体の実施形態において、接着パターンは、当該技術分野で既知の任意の方式で不織布ランディングゾーンに適用することができる。例として、接着パターンは、熱、圧力、超音波結合、接着剤、当該技術分野で既知の他の接着手段、又はこれらの任意の組み合わせを用いて適用されることができる。例えば、加熱されたカレンダロールと別のロールが形成する（複数の隆起したランドを有する）ニップに不織布ウェブを通すことによって不織布ウェブを接着することによって、それらのランドが不織布ウェブ上に接着区域を形成するようにすることができる。
【００１２】
図２は、平らな非収縮状態に置かれた図１の前締結式着用可能吸収性物品１００の外側の上面図を図示する。締結耳１１０のそれぞれは、耳１１０の遠位端部上に提供されるフック部分１１５を含む。しかし、代替実施形態では、フック部分は、耳のその他の部分に提供されることができる。物品は、物品１００を左半分と右半分とに区分する長手方向中心線、及び物品１００を前側１０１と後側１０５とに区分する横方向中心線を含む。不織布ランディングゾーンである繊維性のランディングゾーン１２０の幅を横方向に向け、長さを長手方向に向けて、ランディングゾーン１２０を物品１０１の前側１０１に配置する。しかし、別の実施形態では、ランディングゾーンを物品の後側に配置して、着用可能な吸収性物品を後締結式に構成することも可能である。様々な実施形態で、不織布ランディングゾーンは、１つ以上の別個の材料片から形成されてもよく、バックシートの外側不織布層の一部分のような着用可能吸収性物品の要素の１つ以上の部分によって形成されてもよい。
【００１３】
図３は、図２の不織布ランディングゾーン１２０の外側の上面図を図示する。ランディングゾーン１２０は、数多くのランダムな向きに置かれた不織布繊維を有する不織布材料の矩形片である。しかし、代替実施形態では、ランディングゾーンは、曲線形又は山形のような様々な形を有することができる。不織布材料は、当業者により理解されるであろう種々の方法で構成されることができる。例えば、不織布材料は、１．７〜２．７デニールの実質的に連続の繊維を有するスパンボンドポリプロピレン材料であってよい。不織布材料の繊維は、不織布ランディングゾーン１２０上にループを形成し、締結耳１１０のフックをこれらのループに留めることができる。
【００１４】
不織布ウェブは、不織布ランディングゾーンを作るために用いられる不織布の繊維タイプ、樹脂タイプ、及び／又は坪量によって異なるレベルの不透明度であることができる（不透明度は通常、反射分光光度計によって４５度で測定される）。材料の密度、厚さ、及び使用する顔料の程度（酸化チタン、ＴｉＯ２）に対してなど（ただし限定せず）、不織布の不透明度が敏感であることは当該技術分野で知られている。例えば、不織布ウェブの不透明度が高いことは、背景、すなわちその背後のアートワークを相当の度合いで曖昧にすることを意味する。衛生用不織布では異なるレベルのＴｉＯ２が最も一般的に使用される。
【００１５】
ランディングゾーン１２０は、不織布材料の製造プロセスによって画定される機械方向（ＭＤ）１２２及び横断方向（ＣＤ）１２６を有する。様々な実施形態で、不織布材料の繊維は、ＭＤ又はＣＤの方向性を有するように構成されてよく、そのように構成されなくてもよい。ランディングゾーンはまた、長手方向全長１２６及び横幅全長１２８を有する。
【００１６】
図４は、印刷された図形を有する図３の不織布ランディングゾーン１２０の外側の上面図を示す。明確に示すために、不織布繊維は、図４には示されていない。ランディングゾーン１２０は、印刷区域１３０を囲む印刷されていないボーダー１２３を含む。しかし、いくつかの実施形態では、印刷されていないボーダーを不織布ランディングゾーン１２０に含めず、印刷区域が不織布ランディングゾーンの全体のサイズ及び形と一致するようにしてもよい。代替実施形態では、印刷区域は、不織布ランディングゾーンの１つ以上の外側エッジと重なり合ってよい。別の代替実施形態では、印刷区域は、不織布ランディングゾーンの全ての外側エッジと重なり合ってよい。
【００１７】
印刷区域１３０は、全体として矩形を有するが、様々な実施形態で印刷区域は、全体として異なる形を有してもよい。印刷区域１３０はまた、長手方向全長１３８及び横幅全長１３６を有する。印刷区域１３０は、文字１４０、キャラクター画像１５０、及び数字１６０など様々な図形の画像を含む。本明細書で使用するとき、図形画像はまた、その他の認識可能な画像（植物、車など）及び例えば円、正方形、矩形、三角形、星形などのような幾何学形を含んでもよい。不織布ランディングゾーンの印刷区域はまた、１つ以上の色のその他の図形を含んでもよい。図４の実施形態で、不織布ランディングゾーン１２０は、裏刷されてもよく、すなわち、ランディングゾーン１２０の不織布層の内面（図４で視認者に背を向けている底面）にインクが適用されてもよい。この実施形態で、印刷されていない不織布ウェブの不透明度の増加につれて全体的なアートワークの視認性は減少するので、不織布ランディングゾーンの不透明度は裏側に印刷された図形を不織布ループ部材の全接着区域から識別することをよりいっそう困難にし得る。以下に説明するように、この場合、消費者に対するアートワークの視認性を増すために、色差はよりいっそう重要になる。
【００１８】
しかし、当業者には理解されるように、不織布ランディング１２０は、外面上に又は様々な代替的方法によって印刷することができる。
【００１９】
印刷区域１３０は、背景色を含んでよく、キャラクター画像１５０は、キャラクターの色を含んでもよい。背景色は、キャラクター画像の少なくとも実質的な部分を囲み、キャラクター画像を完全に囲んでも完全に囲まなくてもよい。印刷区域は、背景色に加えて他の色を含むことができる。様々な実施形態で、背景色は、印刷区域を部分的に、又は実質的に、又は完全に満たすことができる。キャラクター色は、キャラクター画像の少なくとも実質的な部分を囲み、キャラクター画像を完全に満たしてよく、完全に満たさなくてもよい。キャラクター画像は、キャラクター色に加えて他の色を含んでよい。
【００２０】
様々な実施形態で、背景色は、キャラクター色と異なってよく、同様であってもよく、同じであってもよい。下表１、２、及び３は、不織布ランディングゾーン１２０と、印刷区域１３０と、キャラクター画像１５０とを有する図４の６つの代表的な実施形態を提供し、表中、キャラクター画像１５０はキャラクター色を含み、印刷区域１３０は、背景色を含む。表１には、６つの実施形態のそれぞれのＣＩＥＬＡＢ値を含む背景色が記載されている。表２には、６つの実施形態のそれぞれのＣＩＥＬＡＢ値を含むキャラクター色が記載されている。表３は、６つの実施形態のそれぞれの背景色とキャラクター色のＣＩＥＬＡＢ値における差を含む。
【００２１】
【表１】
0005254495.tif 000002
【００２２】
【表２】
0005254495.tif 000003
【００２３】
【表３】
0005254495.tif 000004
【００２４】
表１〜３に記載した６つの例で、色は、１９７６  Ｃｏｍｍｉｓｓｉｏｎ  Ｉｎｔｅｒｎａｔｉｏｎａｌｅ  ｄ’Ｅｃｌａｉｒａｇｅ規格に基づくＣＩＥ  Ｌ＊ａ＊ｂ＊の色を報告するＣｏｌｏｒ  Ｐｉｃｋｅｒツールを用いて、Ａｄｏｂｅ  Ｐｈｏｔｏｓｈｏｐ  １０．０．１（著作権１９９０〜２００７、Ａｄｏｂｅ  Ｓｙｓｔｅｍｓ  Ｉｎｃｏｒｐｏｒａｔｅｄ）から得ることができる。参考までに、Ａｄｏｂｅ  ＰｈｏｔｏｓｈｏｐのＣＩＥ  Ｌ＊ａ＊ｂ＊スケールは、Ｌ＊については０〜１００、ａ＊については−１２８〜１２７、ｂ＊については−１２８〜１２７である。報告される色及び範囲は、印刷されるアートワークファイルからのターゲット色を表すことができる。
【００２５】
これら６つの例で、背景色とキャラクター色の照度値における差は、２〜２０の範囲である。しかし、印刷区域及びキャラクター画像を有する不織布ランディングゾーンは、少なくとも１０、少なくとも２０、少なくとも３０、少なくとも４０、少なくとも５０、又は少なくとも６０、又はこれらの値の間の任意の整数値であるＣＩＥＬＡＢ照度（Ｌ）値の差を有する背景色及びキャラクター色を有することができる。これらの照度の差は、キャラクター色のＬ値から背景色のＬ値を引いて得られる絶対値をとることによって決定することができる。この理論による拘束は望まないが、背景色とキャラクター色との間の照度の差は、不織布ランディングゾーンの印刷区域のキャラクター画像をより見やすくすることを可能にすると考えられる。
【００２６】
これら６つの例で、背景色とキャラクター色のＣＩＥＬＡＢ値における差は１３〜６９の範囲である。しかし、印刷区域及びキャラクター画像を有する不織布ランディングゾーンは、少なくとも１０、少なくとも２０、少なくとも３０、少なくとも４０、少なくとも５０、あるいは少なくとも６０、少なくとも７０、少なくとも８０、又はこれらの値の間の任意の整数値であるＣＩＥＬＡＢ値の差を有する背景色及びキャラクター色を有することができる。これらの色の差は、キャラクター色のａ値から背景色のａ値を引いて得られる絶対値をとることによって決定することができる。また、これら６つの例で、背景色とキャラクター色のＣＩＥＬＡＢ  ｂ値における差は、４〜９６の範囲である。これらｂ色の差は、キャラクター色のｂ値から背景色のａ値を引いて得られる絶対値をとることによって決定することができる。しかし、印刷区域及びキャラクター画像を有する不織布ランディングゾーンは、少なくとも１０、少なくとも２０、少なくとも３０、少なくとも４０、少なくとも５０、あるいは少なくとも６０、少なくとも７０、少なくとも８０、少なくとも９０、少なくとも１００、又はこれらの値の間の任意の整数値であるＣＩＥＬＡＢ  ｂ値の差を有する背景色及びキャラクター色を有することができる。
【００２７】
文字１４０のそれぞれは、キャラクター幅１４２、全高１４６を有する。文字のキャラクター幅に関係する全ての開示は、数字のキャラクター幅にも同様に適用されることができる。キャラクター画像１５０は、キャラクター画像の最も高い部分にわたり長手方向に測定される全高１５６、及びキャラクター画像の最も幅広の部分にわたって横方向に測定される全幅１５８を有する。本明細書で使用するとき、全高及び全幅は、キャラクター画像の主要な寸法とみなされる。キャラクター画像１５０は、印刷区域１３０の任意の背景色又はアートワークに対してキャラクター画像１５０を際立たせてキャラクター画像１５０をより容易に可視化するために、キャラクター画像１５０を囲む輪郭線１５５によって描かれる。図４の実施形態で輪郭線１５５はキャラクター画像１５０を完全に囲んでいるが、様々な実施形態で輪郭線はキャラクター画像を部分的に囲むだけでもよい。輪郭線１５５は均一の幅１５４を有するが、いくつかの実施形態で輪郭線の幅は変化してよい。様々な実施形態で、輪郭線は、白色、灰色、若しくは黒色のような任意の印刷色であってよく、又は輪郭線は、印刷区域内の印刷されていない部分によって形成されてもよい。また、代替実施形態で、輪郭線は、印刷区域内の１つ以上の文字、数字、又は他のアートワーク画像に同様に適用されることができる。数字１６０は、全高１６６を有する。
【００２８】
これらの印刷された図形の寸法は、不織布ランディングゾーン１２０に適用される不織布接着パターンにおける接着線の寸法との関係において選択することができる。具体的には、文字１４０のキャラクター幅１４２、輪郭線１５５の幅、並びに画像、文字、及び数字の全長、全幅、及び全高は、下記のように接着線の寸法との関係において選択することができる。
【００２９】
図５は、文字１４０、キャラクター画像１５０、及び数字１６０を含む印刷区域１３０を有する図４の不織布ランディングゾーン１２０の外側の上面図を示す。不織布ランディングゾーン１２０はまた、不織布ランディングゾーン１２０全体にかけて延在する波形接着線の接着パターン１７０も含み、結果として、印刷区域１３０全体に重なる。容易に図示するために、本開示全体を通して、別途明記しない限り図中の接着線は厚みがないものとして図示される。接着パターン１７０は印刷区域と重なっているが、本明細書に記載されているように、印刷された図形に選択された寸法及び接着パターン１７０の構成のために、文字１４０、キャラクター画像１５０、及び数字１６０はなお容易に視認可能である。いくつかの実施形態では、接着パターンは、不織布ランディングゾーン１２０の一部分のみにかけて延在することができる。接着パターン１７０は、本開示に記載された接着パターンの任意の実施形態にしたがって、及び／又は本開示に記載された接着パターンの任意の実施形態の任意のバリエーションにしたがって、構成することができる。
【００３０】
接着及び印刷された繊維性材料は、本明細書に記載するように、キャラクター画像の全幅、文字又は数字の全高、キャラクター画像の全高、輪郭の幅、及び／又はキャラクター幅のような印刷区域内の要素のサイズを、接着線のピッチ、接着線の振幅、接着線の波長、及び／又は接着線の幅のような接着パターンの観点との関係において定めることができる。接着パターンの観点は、図６の実施形態の記述において画定される。
【００３１】
図５の実施形態で、印刷区域１３０は、キャラクター画像１５０の全幅１５８が接着パターン１７０のピッチより少なくとも１０％大きくなるように、又は接着パターン１７０のピッチより少なくとも２０％大きくなるように、又は接着パターン１７０のピッチより少なくとも３０％大きくなるように、又は接着パターン１７０のピッチより少なくとも４０％大きくなるように、又は接着パターン１７０のピッチより少なくとも５０％大きくなるように、又は接着パターン１７０のピッチより少なくとも７５％大きくなるように、又は接着パターン１７０のピッチより少なくとも１００％大きくなるように、又は接着パターン１７０のピッチより少なくとも１５０％大きくなるように、又は接着パターン１７０のピッチより少なくとも２００％大きくなるように、又は接着パターン１７０のピッチより少なくとも３００％大きくなるように、又は接着パターン１７０のピッチより少なくとも４００％大きくなるように、又は接着パターン１７０のピッチより少なくとも５００％大きくなるように、又は接着パターン１７０のピッチより少なくとも６００％大きくなるように、又は接着パターン１７０のピッチより少なくとも７００％大きくなるように、又は接着パターン１７０のピッチより少なくとも８００％大きくなるように、又は接着パターン１７０のピッチより少なくとも９００％大きくなるように、構成されることができる。あるいは、これらの相対的なサイズの関係のいずれも、ピッチに対して適用するのでなく、接着パターンの接着線の振幅に対して適用することができる。あるいはまた、接着パターンのピッチ及び／又は振幅は、印刷区域の１つ以上の文字、キャラクター画像、又は数字の全幅との関係においてこれらの比率のいずれかを作り出すように選択してよい。換言すると、特定のサイズの画像を有する所与の印刷区域では、重なる接着パターンの寸法を調整して上述の関係を得ることができる。例えば、キャラクターの全幅が１０ミリメートルであるならば、接着パターンのピッチが５０％以下（例えば５ミリメートル）になるように調整することができる。この理論による拘束は望まないが、本開示は、接着パターンのピッチ及び／又は振幅より大きい全幅を有する文字、キャラクター画像、又は数字は印刷画像を接着パターンからより容易に視認可能にするものと企図する。
【００３２】
図５の実施形態で、印刷区域１３０は、文字１４０の全高１４６及び／又はキャラクター画像１５０の全高１５６及び／又は数字１６０の全高１６６が、接着パターン１７０のピッチより少なくとも１０％大きくなるように、又は接着パターン１７０のピッチより少なくとも２０％大きくなるように、又は接着パターン１７０のピッチより少なくとも３０％大きくなるように、又は接着パターン１７０のピッチより少なくとも４０％大きくなるように、又は接着パターン１７０のピッチより少なくとも５０％大きくなるように、又は接着パターン１７０のピッチより少なくとも７５％大きくなるように、又は接着パターン１７０のピッチより少なくとも１００％大きくなるように、又は接着パターン１７０のピッチより少なくとも１５０％大きくなるように、又は接着パターン１７０のピッチより少なくとも２００％大きくなるように、又は接着パターン１７０のピッチより少なくとも３００％大きくなるように、又は接着パターン１７０のピッチより少なくとも４００％大きくなるように、又は接着パターン１７０のピッチより少なくとも５００％大きくなるように、又は接着パターン１７０のピッチより少なくとも６００％大きくなるように、又は接着パターン１７０のピッチより少なくとも７００％大きくなるように、又は接着パターン１７０のピッチより少なくとも８００％大きくなるように、又は接着パターン１７０のピッチより少なくとも９００％大きくなるように、構成されることができる。あるいは、これらの相対的なサイズの関係のいずれも、ピッチに対して適用するのでなく、接着パターンの接着線の振幅に対して適用することができる。あるいはまた、接着パターンのピッチ及び／又は振幅は、印刷区域の１つ以上の文字、キャラクター画像、又は数字の全高との関係においてこれらの比率のいずれかを作り出すように選択してよい。換言すると、特定のサイズの画像を有する所与の印刷区域では、重なる接着パターンの寸法を調整して上述の関係を得ることができる。例えば、キャラクターの全高が１０ミリメートルであるならば、５０％以下（例えば５ミリメートル）になるように接着パターンのピッチを調整することができる。この理論による拘束は望まないが、本開示は、接着パターンのピッチ及び／又は振幅より大きい全高を有する文字、キャラクター画像、又は数字は印刷画像を接着パターンからより容易に視認可能にするものと企図する。
【００３３】
図５の実施形態で、印刷区域１３０は、キャラクター画像１５０の全幅１５８が接着パターン１７０の波長より少なくとも１０％大きくなるように、又は接着パターン１７０の波長より少なくとも２０％大きくなるように、又は接着パターン１７０の波長より少なくとも３０％大きくなるように、又は接着パターン１７０の波長より少なくとも４０％大きくなるように、又は接着パターン１７０の波長より少なくとも５０％大きくなるように、又は接着パターン１７０の波長より少なくとも７５％大きくなるように、又は接着パターン１７０の波長より少なくとも１００％大きくなるように、又は接着パターン１７０の波長より少なくとも１５０％大きくなるように、又は接着パターン１７０の波長より少なくとも２００％大きくなるように、又は接着パターン１７０の波長より少なくとも３００％大きくなるように、又は接着パターン１７０の波長より少なくとも４００％大きくなるように、又は接着パターン１７０の波長より少なくとも５００％大きくなるように、又は接着パターン１７０の波長より少なくとも６００％大きくなるように、又は接着パターン１７０の波長より少なくとも７００％大きくなるように、又は接着パターン１７０の波長より少なくとも８００％大きくなるように、又は接着パターン１７０の波長より少なくとも９００％大きくなるように、構成されることができる。あるいはまた、接着パターンの波長は、印刷区域の１つ以上の文字、キャラクター画像、又は数字の全幅との関係においてこれらの比率のいずれかを作り出すように選択してよい。この理論による拘束は望まないが、本開示は、接着パターンの波長より大きい全幅を有する文字、キャラクター画像、又は数字は印刷画像を接着パターンからより容易に視認可能にするものと企図する。
【００３４】
図５の実施形態で、印刷区域１３０は、文字１４０の全高１４６及び／又はキャラクター画像１５０の全高１５６及び／又は数字１６０の全高１６６が接着パターン１７０の波長より少なくとも１０％大きくなるように、又は接着パターン１７０の波長より少なくとも２０％大きくなるように、又は接着パターン１７０の波長より少なくとも３０％大きくなるように、又は接着パターン１７０の波長より少なくとも４０％大きくなるように、又は接着パターン１７０の波長より少なくとも５０％大きくなるように、又は接着パターン１７０の波長より少なくとも７５％大きくなるように、又は接着パターン１７０の波長より少なくとも１００％大きくなるように、又は接着パターン１７０の波長より少なくとも１５０％大きくなるように、又は接着パターン１７０の波長より少なくとも２００％大きくなるように、又は接着パターン１７０の波長より少なくとも３００％大きくなるように、又は接着パターン１７０の波長より少なくとも４００％大きくなるように、又は接着パターン１７０の波長より少なくとも５００％大きくなるように、又は接着パターン１７０の波長より少なくとも６００％大きくなるように、又は接着パターン１７０の波長より少なくとも７００％大きくなるように、又は接着パターン１７０の波長より少なくとも８００％大きくなるように、又は接着パターン１７０の波長より少なくとも９００％大きくなるように、構成されることができる。あるいはまた、接着パターンの波長は、印刷区域の１つ以上の文字、キャラクター画像、又は数字の全高との関係においてこれらの比率のいずれかを作り出すように選択してよい。換言すると、特定のサイズの画像を有する所与の印刷区域では、重なる接着パターンの寸法を調整して上述の関係を得ることができる。例えば、キャラクターの全高が１０ミリメートルであるならば、５０％以下（例えば５ミリメートル）になるように接着パターンの波長を調整することができる。この理論による拘束は望まないが、本開示は、接着パターンの波長より大きい全高を有する文字、キャラクター画像、又は数字は印刷画像を接着パターンからより容易に視認可能にするものと企図する。
【００３５】
図５の実施形態で、印刷区域１３０は、輪郭線１５５の輪郭線幅１５４及び／又は文字１４０のキャラクター幅１４２が接着パターン１７０の接着線幅より少なくとも１０％大きくなるように、又は接着パターン１７０の接着線幅より少なくとも２０％大きくなるように、又は接着パターン１７０の接着線幅より少なくとも３０％大きくなるように、又は接着パターン１７０の接着線幅より少なくとも４０％大きくなるように、又は接着パターン１７０の接着線幅より少なくとも５０％大きくなるように、又は接着パターン１７０の接着線幅より少なくとも７５％大きくなるように、又は接着パターン１７０の接着線幅より少なくとも１００％大きくなるように、又は接着パターン１７０の接着線幅より少なくとも１５０％大きくなるように、又は接着パターン１７０の接着線幅より少なくとも２００％大きくなるように、又は接着パターン１７０の接着線幅より少なくとも３００％大きくなるように、又は接着パターン１７０の接着線幅より少なくとも４００％大きくなるように、又は接着パターン１７０の接着線幅より少なくとも５００％大きくなるように、又は接着パターン１７０の接着線幅より少なくとも６００％大きくなるように、又は接着パターン１７０の接着線幅より少なくとも７００％大きくなるように、又は接着パターン１７０の接着線幅より少なくとも８００％大きくなるように、又は接着パターン１７０の接着線幅より少なくとも９００％大きくなるように、構成されることができる。あるいは、接着パターンの接着線幅は、印刷区域の輪郭線幅及び／又はキャラクター幅に対するこれらの比率のいずれかとして作り出すように選択されてよい。換言すると、特定のサイズの画像を有する所与の印刷区域では、重なる接着パターンの寸法を調整して上述の関係を得ることができる。例えば、輪郭線の幅が２ミリメートルであるならば、５０％以下（例えば１ミリメートル）になるように接着パターンのピッチを調整することができる。この理論による拘束は望まないが、本開示は、接着パターンの接着線幅より大きい輪郭線幅又はキャラクター幅は印刷画像を接着パターンからより容易に視認可能にするものと企図する。そうでなければ、接着線が輪郭線幅又はキャラクター幅より狭い場合、波形接着線が支配的になり印刷画像の一部として認知されるようになり得るため、印刷画像の可視性はマイナスの影響を受ける。
【００３６】
図６は、不織布ランディングゾーンの接着パターン６７０の一部分の上面図を示す。接着パターン６７０は、長手方向６９６及び横方向６９８を含む。接着パターン６７０は、長手方向６９６がランディングゾーンの不織布材料の機械方向と一致し、かつ横方向６９８が不織布材料の横断方向と一致するように不織布ランディングゾーンに適用することができる。代替実施形態では、接着パターン６７０は、長手方向６９６がランディングゾーンの不織布材料の機械方向に対して角度をなすように角度をなすことができる。当業者には理解されるように、例えば、接着パターンは、接着プロセス中に装置と材料との間の特定の接触条件を提供するためにランディングゾーンの不織布材料の機械方向に対して０．２６度の角度をなすことができる。
【００３７】
接着パターン６７０は、複数の接着線６７１、６７２、６７３、６７４、６７５、及び６７６を含む。図６で、接着線は厚みを有するものとして図示されている。接着線６７１〜６７６は、熱接着、又は超音波接着、又は不織布材料を結合するための任意の種類の接着であってよい。接着線６７１〜６７６のそれぞれは、同じ方式で構成されるが、この説明は、参照を容易にするために接着線６７１及び６７２の詳細を特に指す。いくつかの実施形態では、接着パターンは、そのパターンの他の接着線と異なる１つ以上の接着線を含んでよい。異なる接着線は、本明細書に記載される任意の方式で異なることができる。本明細書で使用するとき、用語「接着線」は、１つ以上の接着区域によって形成される認識可能な経路であり、画定された長さより実質的に小さい画定された幅を有する経路を意味する。
【００３８】
一直線ではいくつかの向きにおいて不織布繊維が接着しにくくなるので、波形を有する接着線を多数有する接着パターンは、一直線の形を有する一連の平行な接着線を有する接着パターンより有用であると考えられる。例えば、不織布材料上の横断方向に向けられた一連の平行な接着線は、横断方向に主に向けられ、接着線間に配置された不織布繊維を捉えにくくなる結果的に、これらの未接着繊維はより強度の低いループを提供することになり、したがってフックアンドループファスナーシステムの性能も低下することになる。したがって、本開示の実施形態は、波形を有する接着線を多数有する接着パターンを企図する。本明細書で用いるとき、用語「波形」は、その長さに沿って少なくともある程度の最低限の振幅の変化を有する非直線形、すなわち、その経路の１つ分の厚さを超えてその全体のコースから偏移する波形を意味することを意図する。様々な実施形態で、波形は連続曲線であってよく、部分的に曲線及び部分的に直線であってもよく、ジグザグ模様のように接続した一連の直線セグメントであってもよい。
【００３９】
接着線６７１は、同一の波の繰り返しパターンによって形成された連続波形線である。しかし、様々な実施形態で、接着線は不連続線、又は多数の線セグメントが形成する有効な線、又は間隔を開けて置かれた一連の接着区域が形成する有効な線であってもよい。また、いくつかの実施形態では、波は、同一でなくてよい。本開示は、それぞれの接着線のそれぞれの波は、本明細書に記載した任意の方法で変化することができると企図する。
【００４０】
接着パターン６７０で、接着線６７１〜６７６のそれぞれの波は、ピークとトローフの交互の連続によって形成される。パターン６７０の図示された部分で、接着線６７１は、第１のトローフ６７１Ｔ−１、それに続く第１のピーク６７１Ｐ−１、それに続く第２のトローフ６７１Ｔ−２、それに続く第２のピーク６７１Ｐ−２などを含む。接着線６７１は、ピークの頂点からトローフの底点までを長手方向に測定した一定の波の振幅６８４、及びトローフから隣接するトローフまで（又はピークから隣接するピークまで）を横方向に測定した一定の波長６８６を有する。代替実施形態で、接着線は、変化する波振幅及び又は波長を有することができる。接着線６７１は、それぞれのピークとトローフの内側半径６８３を有する連続曲線である。図６の実施形態で、他のそれぞれの接着線６７２〜６７６もまた一定の波振幅６８４、一定の波長６８６、及び内側半径６８３を有する。
【００４１】
接着線６７２は、接着線６７１と同じ方式で構成される。したがって、接着線６７２は、第１のトローフ６７２Ｔ−１、第１のピーク６７２Ｐ−１、第２のトローフ６７２Ｔ−２、及び第２のピーク６７２Ｐ−２を含む。接着線６７２はまた、一定の振幅６８４及び一定の波長６８６を含む。横方向では、接着線６７２は、接着線６７１と同相であるので、接着線６７２のピークは接着線６７１のピークと整合する。接着線６７１及び６７２のトローフも同様に整合する。
【００４２】
線Ｖ１は、接着線６７１〜６７６のそれぞれの第１のトローフの底を貫通して描かれた長手方向の向きの基準線である。線Ｖ２は、接着線６７１〜６７６のそれぞれの第２のトローフを貫通して描かれた長手方向の向きの基準線である。接着線６７１及び６７２は同相なので、第１のトローフ６７１Ｔ−１と第１のトローフ６７２Ｔ−１は両方とも線Ｖ１上で整合する。接着線６７１及び６７２は同じ波長６８６を有するので、第２のトローフ６７１Ｔ−２及び６７２Ｔ−２は線Ｖ２上で整合する。その他の接着線６７３〜６７６のそれぞれも同じ方法で接着線６７１及び６７２と、及び互いと、整合する。
【００４３】
接着線６７１は、一定の接着線幅６８２を有する。その他の接着線６７２〜６７６のそれぞれは、同じ一定の接着幅を有する。しかし、いくつかの実施形態では、接着線幅は、１つの接着線に沿ってよく、又は１つの接着線と別の接着線とで異なっていてもよい。
【００４４】
接着線６７２は、接着線６７１のピーク頂点から接着線６７２のピーク頂点まで（又はそれぞれ対応するトローフの底からトローフの底まで）長手方向に測定されるピッチ６８８によって接着線６７１から長手方向にオフセットされる。他の接着線６７３〜６７６のそれぞれは、隣接する接着線から同じピッチ６８８によって長手方向にオフセットされて、接着パターン６７０に接着線の規則的な配列を作り出す。結果として、全ての接着線６７１〜６７６は、互いに交差しない。いくつかの代替実施形態で、接着パターンは、様々なピッチで互いにオフセットした接着線を含むことができる。
【００４５】
線Ｈ１は、接着線６７１のトローフの底に沿って引かれた横方向の基準線である。線Ｈ２は、接着線６７１のピーク頂点に沿って描かれた横方向の基準線である。図６の実施例で、ピッチ６８８は振幅６８４と同じである。結果として、線Ｈ２もまた、接着線６７２のトローフの底に沿って描かれる。
【００４６】
接着パターンで、接着線の幅、波振幅、波長、及びピッチは、接着される面積百分率（及び接着されない面積百分率）をともに決定する。
【００４７】
様々な実施形態で、接着パターンが重ねられる印刷区域の視覚的外観にとって、接着線幅を減少する一方で接着区域の標的百分率を維持することは有益であり得る。それを行うために、接着パターンのピッチを低減して接着区域百分率を調整することができる。この理論による拘束は望まないが、本開示は、低減された接着線幅及び低減されたピッチを有する接着パターンは、視覚的に好ましいより均質の外観を提供し、印刷区域の画像を接着パターンからより容易に視認可能にすることを可能にするものと企図する。
【００４８】
例えば、接着パターンは、少なくとも２０％の接着区域を維持するために０．８ミリメートル未満だがピッチが低減された接着線幅を有することができる。別の例では、接着パターンは、少なくとも２０％の接着区域を維持するために０．６ミリメートル未満だが、ピッチが低減された接着線幅を有することができる。更に別の例では、接着パターンは、少なくとも２０％の接着区域を維持するために０．４ミリメートル未満だが、ピッチが低減された接着線幅を有することができる。なお更に別の例では、接着パターンは、少なくとも２０％の接着区域を維持するために０．２ミリメートル未満だが、ピッチが低減された接着線幅を有することができる。あるいは、これらの例を、例えば１５％又は２５％、若しくはこれらの２つの値の間の任意の整数値の百分率のような他の標的接着区域百分率で実施してもよい。
【００４９】
しかし、接着線幅及び接着パターンのピッチには実際的な下限がある。接着線幅が非常に小さい寸法（例えば約０．１ミリメートル以下）に低減されると、一部の接着プロセスが不織布繊維を適正に接着せずに引裂き又は切断し始めることが可能である。また、接着パターンのピッチが非常に小さい寸法（例えば約１ミリメートル以下）に低減されると、ループを形成するには不十分な未接着の不織布が存在し、その結果、はるかに大きい（及びより高価な）フック面積が必要とされること、あるいは性能の劣るフックアンドループファスナーシステムがもたらされることになり得る。これらの考慮点は、当業者には理解されるであろう。
【００５０】
特定の実施形態では、接着パターンは、０．６ミリメートルの一定の接着線幅、３．４ミリメートルの一定の波振幅、２４．４２ミリメートルの一定の波長、及び３．４ミリメートルの一定のピッチを寸法として、接着パターン６７０と同じ方式で構成され、約１８％の接着区域をもたらすことができる。本開示は、上述の寸法のどれでもその他の寸法から独立して変化させることが可能な、この特定の実施形態のバリエーションを企図する。この特定の実施形態は、下記のように変化させることができる。
【００５１】
接着パターンの１つ以上の接着線は、０．２ミリメートル未満、又は０．２ミリメートル、又は０．３ミリメートル、又は０．４ミリメートル、又は０．５ミリメートル、又は０．６ミリメートル、又は０．７ミリメートル、又は０．８ミリメートル、又は０．９ミリメートル、又は１．０ミリメートル、又は１．１ミリメートル、又は１．２ミリメートル、又は１．３ミリメートル、又は１．４ミリメートル、又は１．５ミリメートル、又は１．６ミリメートル、又は１．７ミリメートル、又は１．８ミリメートル、又は１．９ミリメートル、又は２．０ミリメートル、又は２．０ミリメートルを超える幅、又はこれらのうちどれか特定の値の間の任意の幅であり得る一定の接着線を有することができる。あるいは、接着線幅は、上述の任意の値の間で変化することもできる。
【００５２】
接着パターンの１つ以上の接着線は、２．０ミリメートル未満、又は２．０ミリメートル、又は２．５ミリメートル、又は３．０ミリメートル、又は３．５ミリメートル、又は４．０ミリメートル、又は４．５ミリメートル、又は５．０ミリメートル、又は５．５ミリメートル、又は６．０ミリメートル、又は６．５ミリメートル、又は７．０ミリメートル、又は７．０ミリメートルを超える幅、又は０．１ミリメートルずつ増える、これらのうちどれか特定の値の間の任意の値であり得る一定の波振幅を有することができる。あるいは、波振幅は、上述の任意の値の間で変化することもできる。様々な実施形態で、低い（例えば１０ミリメートル未満）がゼロではない波振幅を有することは、接着パターンが重ねられる印刷区域の視覚的外観にとって有益であり得る。この理論による拘束は望まないが、本開示は、上述のように低い波振幅を有する接着パターンは視覚的に好ましく、しかも直線形を有する接着線が提示する難点を回避するものと企図する。
【００５３】
接着パターンの１つ以上の接着線は、５ミリメートル未満、又は５ミリメートル、又は１０ミリメートル、又は１５ミリメートル、又は２０ミリメートル、又は２５ミリメートル、又は３０ミリメートル、又は３５ミリメートル、又は４０ミリメートル、又は４５ミリメートル、又は５０ミリメートル、又は５０ミリメートルを超える波長、又はこれらのうちどれか特定の値の間のミリメートル単位の整数値であり得る一定の波長を有することができる。あるいは、波長は、上述の任意の値の間で変化することもできる。
【００５４】
接着パターンは、２．０ミリメートル未満、又は２．０ミリメートル、又は２．５ミリメートル、又は３．０ミリメートル、又は３．５ミリメートル、又は４．０ミリメートル、又は４．５ミリメートル、又は５．０ミリメートル、又は５．５ミリメートル、又は６．０ミリメートル、又は６．５ミリメートル、又は７．０ミリメートル、又は７．０ミリメートルを超える一定のピッチ、又は０．１ミリメートルずつ増える、これらのうちどれか特定の値の間の任意の値であり得る一定のピッチで接着線を有することができる。あるいは、接着パターンのピッチは、上述の任意の値の間で変化することもできる。
【００５５】
結果的に接着パターンは、１０％未満、又は１０％、又は１５％、又は２０％、又は３０％、又は３０％を超える、又はこれらの特定の百分率の間の任意の整数値の百分率であり得る接着区域となることができる。
【００５６】
図７は、長手方向全長７２６及び横方向全幅７２８を有する不織布ランディングゾーン７２０の外側の上面図を示す。不織布ランディングゾーン７２０は、長手方向全長７３６及び横方向全幅７３８を有する印刷区域７３０を含む。印刷区域７３０は、図５の印刷区域１２０と同じ方式で、又は本明細書に記載された任意の他の方式で構成されることができる。不織布ランディングゾーン７２０はまた、図６の接着パターン６７０の任意の実施形態と同じ方式で構成されることができる接着パターン７７０も含む。図７の実施形態で、接着パターン７７０は、不織布ランディングゾーン７２０にかけて延在し、横方向全幅７２８にわたる約５つの接着線波長及び長手方向全長７２６にわたる約１０の接着線がある。
【００５７】
特定の実施形態で、不織布ランディングゾーン７２０は、ランディングゾーンの長手方向全長３５ミリメートル、ランディングゾーンの横方向全幅１３６ミリメートル、印刷区域の長手方向全長２５ミリメートル、印刷区域の横方向全幅１２６ミリメートルの寸法で構成することができる。しかし、様々な実施形態で、これらの寸法のいずれも変化し得る。
【００５８】
図８Ａは、平らな未収縮状態に置かれた、図７の接着パターンを有する不織布ランディングゾーンを有する前締結式着用可能吸収性物品の上面図を示す。本開示は、接着パターンを有する図８Ａの物品を装飾的設計として認識され、点線が示すような物品の形、印刷区域、及び不織布ランディングゾーンの外縁については請求権を放棄する。
【００５９】
図８Ｂは、長手方向全長８２６及び横方向全幅８２８を有する不織布ランディングゾーン８２０の外側の上面図を示す。不織布ランディングゾーン８２０は、長手方向全長８３６及び横方向全幅８３８を有する印刷区域８３０を含む。印刷区域８３０は、図５の印刷区域１２０と同じ方式で、又は本明細書に記載された任意の他の方式で構成されることができる。不織布ランディングゾーン８２０はまた、図７の接着パターン７７０と同じ方式で構成され得る接着パターン８７０も含む。図８Ｂの実施形態で、接着パターン８７０は不織布ランディングゾーン８２０にかけて延在し、横方向全幅８２８にわたる約５つの接着線波長及び長手方向全長８２６にわたる約１０の接着線がある。
【００６０】
図９Ａは、平らな未収縮状態に置かれた、図９Ｂの接着パターンを有する不織布ランディングゾーンを有する前締結式着用可能吸収性物品の上面図を示す。本開示は、接着パターンを有する図９Ａの物品を装飾的設計として認識され、点線が示すような物品の形、印刷区域、及び不織布ランディングゾーンの外縁については請求権を放棄する。
【００６１】
図９Ｂは、長手方向全長９２６及び横方向全幅９２８を有する不織布ランディングゾーン９２０の外側の上面図を示す。不織布ランディングゾーン９２０は、長手方向全長９３６及び横方向全幅９３８を有する印刷区域９３０を含む。印刷区域９３０は、図５の印刷区域１２０と同じ方式で、又は本明細書に記載された任意の他の方式で構成されることができる。不織布ランディングゾーン９２０はまた、図７の接着パターン７７０と同じ方式で構成され得る接着パターン９７０を含むが、接着パターン９７０の接着線は、接着パターン７７０の接着線の波長の約半分の波長を有する。図９Ｂの実施形態で、接着パターン９７０は、不織布ランディングゾーン９２０にかけて延在し、横方向全幅９２８にわたる約１０の接着線波長及び長手方向全長９２６にわたる約１０の接着線がある。
【００６２】
図１０Ａは、平らな未収縮状態に置かれた、図１０Ｂの接着パターンを有する不織布ランディングゾーンを有する前締結式着用可能吸収性物品の上面図を示す。本開示は、接着パターンを有する図１０Ａの物品を装飾的設計として認識され、点線が示すような物品の形、印刷区域、及び不織布ランディングゾーンの外縁については請求権を放棄する。
【００６３】
図１０Ｂは、長手方向全長１０２６及び横方向全幅１０２８を有する不織布ランディングゾーン１０２０の外側の上面図を示す。不織布ランディングゾーン１０２０は、長手方向全長１０３６及び横方向全幅１０３８を有する印刷区域１０３０を含む。印刷区域１０３０は、図５の印刷区域１２０と同じ方式で、又は本明細書に記載された任意の他の方式で構成されることができる。不織布ランディングゾーン１０２０はまた、図７の接着パターン７７０と同じ方式で構成され得る接着パターン１０７０を含むが、接着パターン１０７０の接着線は接着パターン７７０の接着線の波長の約２倍の波長を有する。図１０Ｂの実施形態で、接着パターン１０７０は不織布ランディングゾーン１０２０にかけて延在し、横方向全幅１０２８にわたる約２．５の接着線波長及び長手方向全長１０２６にわたる約１０の接着線がある。
【００６４】
図１１Ａは、平らな未収縮状態に置かれた、図１１Ｂの接着パターンを有する不織布ランディングゾーンを有する前締結式着用可能吸収性物品の上面図を示す。本開示は、接着パターンを有する図１１Ａの物品を装飾的設計として認識され、点線が示すような物品の形、印刷区域、及び不織布ランディングゾーンの外縁については請求権を放棄する。
【００６５】
図１１Ｂは、長手方向全長１１２６及び横方向全幅１１２８を有する不織布ランディングゾーン１１２０の外側の上面図を示す。不織布ランディングゾーン１１２０は、長手方向全長１１３６及び横方向全幅１１３８を有する印刷区域１１３０を含む。印刷区域１１３０は、図５の印刷区域１２０と同じ方式で、又は本明細書に記載された任意の他の方式で構成されることができる。不織布ランディングゾーン１１２０は、図７の接着パターン７７０と同じ方式で構成され得る接着パターン１１７０もまた含むが、接着パターン１１７０は接着パターン７７０のピッチの約半分のピッチを有し、接着パターン１１７０の接着線は接着パターン７７０の接着線の振幅の約半分の振幅を有する。図１１Ｂの実施形態で、接着パターン１１７０は、不織布ランディングゾーン１１２０にかけて延在し、横方向全幅１１２８にわたる約５つの接着線波長及び長手方向全長１１２６にわたる約２０の接着線がある。
【００６６】
図１２Ａは、平らな未収縮状態に置かれた、図１２Ｂの接着パターンを有する不織布ランディングゾーンを有する前締結式着用可能吸収性物品の上面図を示す。図１２Ａで、接着線は厚みを有するものとして図示されている。本開示は、接着パターンを有する図１２Ａの物品を装飾的設計として認識され、点線が示すような物品の形、印刷区域、及び不織布ランディングゾーンの外縁については請求権を放棄する。
【００６７】
図１２Ｂは、長手方向全長１２２６及び横方向全幅１２２８を有する不織布ランディングゾーン１２２０の外側の上面図を示す。不織布ランディングゾーン１２２０は、長手方向全長１２３６及び横方向全幅１２３８を有する印刷区域１２３０を含む。印刷区域１２３０は、図５の印刷区域１２０と同じ方式で、又は本明細書に記載された任意の他の方式で構成されることができる。不織布ランディングゾーン１２２０は、図７の接着パターン７７０と同じ方式で構成され得る接着パターン１２７０もまた含むが、接着パターン１２７０は接着パターン７７０のピッチの約２倍のピッチを有し、接着パターン１２７０の接着線は接着パターン７７０の接着線の振幅の約２倍の振幅を有する。図１２Ｂで、接着線は、厚みを有するものとして図示されている。図１２Ｂの実施形態で、接着パターン１２７０は不織布ランディングゾーン１２２０にかけて延在し、横方向全幅１２２８にわたる約５つの接着線波長及び長手方向全長１２２６にわたる約５の接着線がある。
【００６８】
本明細書に開示されている寸法及び値は、列挙した正確な数値に厳しく制限されるものとして理解すべきではない。それよりむしろ、特に規定がない限り、こうしたそれぞれの寸法は、列挙された値とその値周辺の機能的に同等の範囲との両方を意味することが意図される。例えば、「４０ｍｍ」として開示される寸法は、「約４０ｍｍ」を意味することを意図している。
【００６９】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参考として組み込まれた文献における同一の用語のいずれかの意味又は定義と相反する限りにおいて、本書においてその用語に与えられた定義又は意味が適用されるものとする。
【００７０】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１】
0005254495.tif 000005
【図２】
0005254495.tif 000006
【図３】
0005254495.tif 000007
【図４】
0005254495.tif 000008
【図５】
0005254495.tif 000009
【図６】
0005254495.tif 000010
【図７】
0005254495.tif 000011
【図８Ａ】
0005254495.tif 000012
【図８Ｂ】
0005254495.tif 000013
【図９Ａ】
0005254495.tif 000014
【図９Ｂ】
0005254495.tif 000015
【図１０Ａ】
0005254495.tif 000016
【図１０Ｂ】
0005254495.tif 000017
【図１１Ａ】
0005254495.tif 000018
【図１１Ｂ】
0005254495.tif 000019
【図１２Ａ】
0005254495.tif 000020
【図１２Ｂ】
0005254495.tif 000021